(57)【要約】【課題】画像の向きを設置状態に応じて変更可能なプロジェクタを提供する。【解決手段】筐体２の内部には、回路基板６に搭載された押圧スイッチ７がスリット５の下方に配置されている。押圧スイッチ７は、下向きに押圧が可能なボタン７ａを備えており、ボタン７ａは、押圧スイッチ７の内部に備わる図示しないバネによって常に上方に付勢されている。このため、ボタン７ａが押圧されていない状態では、ボタン７ａは上方に突出し、このときの押圧スイッチ７はオフの状態となる。ここで、筐体２の底面２ｂに天吊金具４０（装置側固定部４３）が装着されると、スリット５から進入する屈曲部４３ｂによってボタン７ａが下向きに押圧され、押圧スイッチ７はオンの状態となる。このため、プロジェクタは、押圧スイッチ７の状態（オン又はオフ）によって天吊金具４０が装着されている状態であるか否かを認識することが可能になっている。【選択図】図７
2009134219.tif 000002
【特許請求の範囲】
【請求項１】
画像を投写する画像投写部と、
前記画像投写部を収容する筐体と、
前記筐体を上下反転させた姿勢で設置するための固定部材が装着される固定部材装着部と、
前記固定部材装着部に前記固定部材が装着されているか否かを検知する固定部材検知部と、
前記固定部材が装着されていることを前記固定部材検知部が検知した場合に、前記画像投写部に前記画像を上下反転させて投写させる制御部と、
を備えたことを特徴とするプロジェクタ。
【請求項２】
請求項１に記載のプロジェクタであって、
前記固定部材検知部は、押圧スイッチを含んで構成され、前記押圧スイッチは、前記固定部材装着部に前記固定部材が装着された状態のときに前記固定部材によって押圧されるように配設されていることを特徴とするプロジェクタ。
【請求項３】
請求項２に記載のプロジェクタであって、
前記押圧スイッチは、前記筐体の内部に配置され、前記筐体には、前記固定部材装着部に装着された前記固定部材が前記押圧スイッチを押圧するための孔部が形成されていることを特徴とするプロジェクタ。
【請求項４】
請求項１〜３のいずれか１項に記載のプロジェクタであって、
前記固定部材検知部の検知結果に基づいて、前記固定部材の装着状態の不備を検出するとともにその旨を警告する警告部をさらに備えたことを特徴とするプロジェクタ。
【発明の詳細な説明】
【技術分野】
【０００１】
本発明は、上下を反転させた姿勢でも画像の投写が可能なプロジェクタに関する。
【背景技術】
【０００２】
画像を投写するプロジェクタにおいて、机や台の上に通常の姿勢で載置して利用する以外に、上下を反転させた姿勢（以降、「天吊設置姿勢」という。）で天井等に取り付けて利用可能なプロジェクタが提案されている。天吊設置姿勢で投写される画像は、通常の姿勢で投写される場合と上下が反転した向き（１８０°回転した向き）で表示されるため、ユーザは、各種設定を行うためのメニュー画像（設定メニュー）を表示させ、画像の向きをプロジェクタの設置状態（姿勢）に応じた向きに設定する必要があった。
【０００３】
ところが、画像が反転して表示されている場合に、画像の向きを正そうとして設定メニューを表示させても、設定メニューも同様に反転して表示されることになるため、表示内容の読解が困難であった。さらに、上下左右を指定するための方向キーを用いたメニュー操作を要する場合には、設定メニューが反転して表示された状態では指定すべき方向を直感的に認識することが困難となり、ユーザに混乱を与えてしまうという問題を有していた。そこで、特許文献１には、角度センサによってプロジェクタの姿勢を検出し、その検出結果に応じて画像の向きを自動的に設定する技術が提案されている。
【０００４】
【特許文献１】特開２００３−２９５３１０号公報
【発明の開示】
【発明が解決しようとする課題】
【０００５】
しかしながら、特許文献１に記載の技術では、角度センサを搭載する必要があるため、回路が複雑になったり、コストが上昇したりするという問題を有している。
【課題を解決するための手段】
【０００６】
本発明は、上述の課題の少なくとも一部を解決するためになされたものであり、以下の形態又は適用例として実現することが可能である。
【０００７】
［適用例１］本適用例に係るプロジェクタは、画像を投写する画像投写部と、前記画像投写部を収容する筐体と、前記筐体を上下反転させた姿勢で設置するための固定部材が装着される固定部材装着部と、前記固定部材装着部に前記固定部材が装着されているか否かを検知する固定部材検知部と、前記固定部材が装着されていることを前記固定部材検知部が検知した場合に、前記画像投写部に前記画像を上下反転させて投写させる制御部と、を備えたことを特徴とする。
【０００８】
このプロジェクタによれば、筐体を上下反転させた姿勢で設置するための固定部材が装着されている場合に、画像を上下反転させて投写させるようにしているため、画像を上下反転させるための設定をユーザが自ら行うことなく、正しい向きで画像を鑑賞することが可能となる。また、固定部材の装着の有無によって筐体の姿勢を判断するため、角度センサ等によって筐体の姿勢を検知する構成に比べてコストを低減させることが可能となる。
【０００９】
［適用例２］上記適用例に係るプロジェクタにおいて、前記固定部材検知部は、押圧スイッチを含んで構成され、前記押圧スイッチは、前記固定部材装着部に前記固定部材が装着された状態のときに前記固定部材によって押圧されるように配設されていることが望ましい。
【００１０】
このプロジェクタによれば、固定部材を固定部材装着部に装着することにより、固定部材が押圧スイッチを押圧する構成であるため、固定部材の装着を容易に検知することが可能となる。
【００１１】
［適用例３］上記適用例に係るプロジェクタにおいて、前記押圧スイッチは、前記筐体の内部に配置され、前記筐体には、前記固定部材装着部に装着された前記固定部材が前記押圧スイッチを押圧するための孔部が形成されていることが望ましい。
【００１２】
このプロジェクタによれば、押圧スイッチが筐体の内部に配置されているため、誤って押圧スイッチを押圧してしまう事態が抑制され、固定部材の装着状態を正しく検知することが可能となる。
【００１３】
［適用例４］上記適用例に係るプロジェクタにおいて、前記固定部材検知部の検知結果に基づいて、前記固定部材の装着状態の不備を検出するとともにその旨を警告する警告部をさらに備えることが望ましい。
【００１４】
このプロジェクタによれば、警告部が、固定部材の装着状態の不備を検出してその旨を警告するため、その処置（装着状態の不備の改善）をユーザに促すことが可能となり、プロジェクタ使用時の安全性を高めることが可能となる。
【発明を実施するための最良の形態】
【００１５】
以下、実施形態に係るプロジェクタについて、図面を参照して説明する。本実施形態のプロジェクタは、光源から射出された光を、外部から入力される画像信号に応じて変調して画像光を形成し、この画像光をスクリーン等に拡大投写して画像信号に応じた画像を表示するものである。
【００１６】
図１及び図２は、本実施形態のプロジェクタを示す斜視図であり、図１は、上面側から見た図、図２は、底面側から見た図である。また、図３及び図４は、プロジェクタが画像を投写する様子を示す側面図であり、図３は、プロジェクタが机上等に載置された状態を示す図、図４は、プロジェクタが天井等に固定された状態を示す図である。
【００１７】
図１に示すように、プロジェクタ１は、装置本体が筐体２で囲まれた構成を有しており、筐体２の前面２ｆには、外部のスクリーン等に画像（画像光）を投写する投写レンズ１３が露出している。また、筐体２の上面２ｔには、ユーザにより入力操作が行われる操作パネル２２が設けられている。なお、これ以降、筐体２の前面２ｆ側の方向を「前方」、その反対方向を「後方」と呼ぶ。
【００１８】
図２に示すように、筐体２の底面２ｂには、前方側の左右両側に前方脚部３ａ，３ｂ、後方側の略中央に後方脚部３ｃがそれぞれ備えられており、プロジェクタ１を通常の姿勢（通常設置姿勢）で机上等に載置する場合には、プロジェクタ１は、これら３つの脚部（前方脚部３ａ，３ｂ及び後方脚部３ｃ）で支持される（図３参照）。また、筐体２の底面２ｂには、４つのねじ穴４が形成されており、プロジェクタ１を天井等に固定する際に用いられる天吊金具４０（図４参照）を装着することが可能になっている。この天吊金具４０を用いることにより、筐体２を上下反転させた姿勢（天吊設置姿勢）でプロジェクタ１を天井等に固定することができる（図４参照）。また、図２に示すように、筐体２の底面２ｂには、左右の２ヶ所に孔部としてのスリット５が形成されており、天吊金具４０の一部が筐体２の内部に進入可能になっている。
【００１９】
図５（ａ）〜（ｃ）は、天吊金具４０を示す図であり、（ａ）は、斜視図、（ｂ）は正面図、（ｃ）は、側面図である。また、図６は、天吊金具４０が装着された状態のプロジェクタ１を示す斜視図である。
図５（ａ）〜（ｃ）に示すように、天吊金具４０は、棒状の支柱４１と、天井に固定される天井側固定部４２と、プロジェクタ１に固定される装置側固定部４３とを有して構成され、これらは、ねじ止めや溶接等によって結合されている。
【００２０】
天井側固定部４２は、曲げ加工が施された金属板であり、周縁部には、複数の挿通孔４２ａが形成されている。天井側固定部４２は、これらの挿通孔４２ａに挿通される図示しないねじ（ボルト）によって天井等に固定される。天井側固定部４２の略中央には、支柱４１の一端（上端）が結合されており、天井側固定部４２を天井に固定した状態では、支柱４１は、鉛直下側に垂下した状態となる。
【００２１】
支柱４１の他端（下端）には、プロジェクタ１を固定するための装置側固定部４３が結合されている。装置側固定部４３も曲げ加工が施された金属板であり、筐体２の底面２ｂに設けられた４つのねじ穴４のそれぞれに対応する位置に、４つの挿通孔４３ａが形成されている。このため、挿通孔４３ａにねじを挿通させてねじ穴４に螺合させることにより、天吊金具４０（装置側固定部４３）をプロジェクタ１に固定（装着）させることができる（図６参照）。また、装置側固定部４３の左右両側の端部には、下側（プロジェクタ１側）に向かって折れ曲がった屈曲部４３ｂが形成されている。屈曲部４３ｂは、筐体２の４つのねじ穴４と装置側固定部４３の４つの挿通孔４３ａの位置を合わせた状態で、筐体２に形成されたスリット５と対応する位置に形成されている。このため、図６に示すように、天吊金具４０をプロジェクタ１に装着した状態では、屈曲部４３ｂはスリット５を通って筐体２の内部に進入する。
【００２２】
図７（ａ）、（ｂ）は、筐体２の底面２ｂに形成されたスリット５の周辺構造を示す部分断面図であり、（ａ）は、天吊金具４０（装置側固定部４３）を装着していない状態を示す図、（ｂ）は、天吊金具４０を装着した状態を示す図である。なお、本図では、天吊設置姿勢、即ち底面２ｂを上方に向けた姿勢を示しており、本図の説明において「上方」は底面２ｂ側の方向、「下方」は上面２ｔ側の方向を意味する。
【００２３】
図７（ａ）、（ｂ）に示すように、筐体２の内部には、回路基板６に搭載された押圧スイッチ７がスリット５の下方に配置されている。押圧スイッチ７は、下向きに押圧が可能なボタン７ａを備えており、ボタン７ａは、押圧スイッチ７の内部に備わる図示しないバネによって常に上方に付勢されている。このため、図７（ａ）に示すように、ボタン７ａが押圧されていない状態では、ボタン７ａは上方に突出し、このときの押圧スイッチ７はオフの状態となる。ここで、筐体２の底面２ｂに天吊金具４０（装置側固定部４３）が装着されると、図７（ｂ）に示すように、スリット５から進入する屈曲部４３ｂによってボタン７ａが下向きに押圧され、押圧スイッチ７はオンの状態となる。このため、プロジェクタ１は、押圧スイッチ７の状態（オン又はオフ）によって天吊金具４０が装着されている状態であるか否かを認識することが可能になっている。なお、本図では、２つのスリット５のうち一方のスリット５の周辺のみを示しているが、他方のスリット５の周辺も同一の構造を有している。つまり、筐体２の内部には、２つの押圧スイッチ７が備わっており、天吊金具４０が装着されると、２つの押圧スイッチ７はともにオンの状態となる。
【００２４】
次に、プロジェクタ１の回路構成について説明する。
図８は、プロジェクタ１の回路構成を示すブロック図である。
図８に示すように、プロジェクタ１は、画像投写部１０、制御部２０、記憶部２１、操作パネル２２、リモコン２３、操作信号受信部２４、電源回路２５、光源制御部２６、天吊検知部２７、画像信号入力部２８、画像処理部２９、ＯＳＤ処理部３０等で構成され、これらは筐体２に収容されている。
【００２５】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、ＯＳＤ処理部３０から入力される画像情報に応じた画像を表示する表示部に相当するものであり、光源１１から射出された光を、液晶ライトバルブ１２Ｒ，１２Ｇ，１２Ｂで変調して画像（画像光）を形成し、この画像を投写レンズ１３から投写してスクリーンＳＣ等に表示する。
【００２６】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２７】
液晶ライトバルブ１２Ｒ，１２Ｇ，１２Ｂは、一対の透明基板間に液晶が封入された液晶パネル１５（図９参照）や、その入射側及び射出側にそれぞれ備えられ、特定の偏光方向の偏光光のみを透過可能な入射側偏光板及び射出側偏光板（いずれも図示せず）等によって構成される。なお、光源１１から射出された光は、図示しない偏光変換素子によって入射側偏光板を透過可能な偏光光に変換されるようになっており、各液晶ライトバルブ１２Ｒ，１２Ｇ，１２Ｂに入射する各色光の大部分は、入射側偏光板を透過して液晶パネル１５に入射する。
【００２８】
図９は、液晶パネル１５の回路構成を示すブロック図であり、一方の透明基板（ＴＦＴ基板１５ａ）の内面に形成された電気回路を示している。なお、他方の透明基板（対向基板）の内面には、ベタ膜状の共通電極が形成されている。
図９に示すように、ＴＦＴ基板１５ａの内面には、画素領域１５０が形成されており、画素領域１５０には、それぞれ画素電極１５２と、画素電極１５２の電位状態を制御する薄膜トランジスタ１５３とを含む画素回路１５１（以降、単に画素１５１とも呼ぶ）がマトリクス状に配列されている。また、画素領域１５０には、下方向（Ｙ方向）に延出する複数（ｍ本）のデータ線Ｘ１〜Ｘｍが右方向（Ｘ方向）に等間隔で配置されるとともに、Ｘ方向に延出する複数（ｎ本）の走査線Ｙ１〜ＹｎがＹ方向に等間隔で配置されている。画素回路１５１は、データ線Ｘ１〜Ｘｍ及び走査線Ｙ１〜Ｙｎが交差する部位毎に形成されており、走査線Ｙ１〜Ｙｎは、薄膜トランジスタ１５３のゲート電極に、データ線Ｘ１〜Ｘｍは、薄膜トランジスタ１５３のソース電極線に接続されている。また、薄膜トランジスタ１５３のドレイン電極には、画素電極１５２が接続されている。
【００２９】
各画素１５１の画素電極１５２に、画像情報に応じた駆動電圧が印加されると、液晶パネル１５に入射した光は、共通電極と各画素電極１５２との電位差に応じて変調され、画素１５１毎に異なる偏光方向を有した偏光光となる。この偏光光のうち、射出側偏光板を透過可能な偏光成分のみが液晶ライトバルブ１２Ｒ，１２Ｇ，１２Ｂから射出される。つまり、液晶ライトバルブ１２Ｒ，１２Ｇ，１２Ｂが、画像情報に応じて画素１５１毎に異なる透過率で入射光を透過させることによって、階調を有する画像光が色光毎に形成される。
【００３０】
ＴＦＴ基板１５ａ上には、ライトバルブ駆動部１４（図８参照）を構成するデータ線駆動回路１４ａ及び走査線駆動回路１４ｂが形成されている。走査線駆動回路１４ｂは、走査線Ｙ１〜Ｙｎに接続され、複数の走査線Ｙ１〜Ｙｎの中から１本の走査線を順次選択する。データ線駆動回路１４ａは、データ線Ｘ１〜Ｘｍに接続され、各データ線Ｘ１〜Ｘｍに対して画像情報に応じた信号を供給する。走査線駆動回路１４ｂが１本の走査線を選択している期間中に、データ線駆動回路１４ａが各データ線Ｘ１〜Ｘｍに画像情報に応じた信号を供給すると、選択画素（選択された走査線に接続された横１列の画素群）に駆動電圧が印加される。これを全ての走査線Ｙ１〜Ｙｎで繰り返すことにより、画素領域１５０内の全ての画素１５１に画像情報に応じた電圧が時分割で印加され、１画面（１フレーム）分の画像光が形成される。
【００３１】
図８に戻って、液晶ライトバルブ１２Ｒ，１２Ｇ，１２Ｂで形成された各色の画像光は、図示しない色合成光学系によって画素１５１毎に合成されてカラーの画像光となった後、投写レンズ１３によってスクリーンＳＣに拡大投写される。
【００３２】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。
【００３３】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００３４】
操作パネル２２及びリモコン２３は、ユーザからの入力操作を受け付ける入力操作部に相当するものであり、ユーザがプロジェクタ１に対して各種指示を行うための複数の操作キーを備えている。操作パネル２２及びリモコン２３が備える操作キーとしては、電源のオン・オフを切り替えるための「電源キー」、各種設定を行うためのメニュー画像を表示させる「メニューキー」等がある。ユーザが操作パネル２２の各種操作キーを操作すると、操作パネル２２は、ユーザの操作内容に応じた操作信号を制御部２０に出力する。また、ユーザがリモコン２３の各種操作キーを操作すると、リモコン２３は、ユーザの操作内容に応じた赤外線の操作信号を発し、操作信号受信部２４がこれを受信して制御部２０に伝達する。
【００３５】
電源回路２５には、外部からＡＣ１００Ｖ等の商用電源が供給される。電源回路２５は、商用電源（交流電源）を所定の電圧の直流電源に変換するとともに、プロジェクタ１の各部に電力を供給する。なお、制御部２０は、電源回路２５から電力の供給を受けて動作している間、電源回路２５に指示をして、画像の投写に必要な電力（動作電力）を供給する状態と、動作電力の供給を停止した状態とを切り替えさせることができる。
【００３６】
光源制御部２６は、制御部２０の指示に基づいて、光源１１に対する電力の供給と停止とを制御し、光源１１の点灯及び消灯を切り替える。
【００３７】
天吊検知部２７は、上述した２つの押圧スイッチ７等で構成され、２つの押圧スイッチ７のオン・オフによって天吊金具４０が装着された状態であるか否かを検知し、その検知結果を示す検知信号を制御部２０に出力する。制御部２０は、天吊検知部２７からの検知信号に基づき、２つの押圧スイッチ７がともにオンの状態である場合には、天吊金具４０が正常に装着されている状態であると認識する。一方、少なくとも１つの押圧スイッチ７がオフの状態である場合には、制御部２０は、天吊金具４０が装着されていない状態（天吊金具４０の装着が不完全な状態も含む）であると認識する。
【００３８】
画像信号入力部２８には、パーソナルコンピュータやＤＶＤ（Digital Versatile Disc）再生装置等、図示しない外部の画像出力装置とケーブルを介した接続を行うための接続端子（図示せず）が備えられており、画像出力装置から各種形式の画像信号が入力される。画像信号入力部２８は、入力された画像信号を画像処理部２９に出力する。
【００３９】
画像処理部２９は、画像信号入力部２８から順次入力される各種形式の画像信号に基づいて、液晶ライトバルブ１２Ｒ，１２Ｇ，１２Ｂの各画素１５１の階調を表す画像情報を生成する。ここで、生成された画像情報は、Ｒ，Ｇ，Ｂの色光別になっており、各液晶ライトバルブ１２Ｒ，１２Ｇ，１２Ｂのすべての画素１５１に対応する複数の画素値によって構成されている。画素値とは、対応する画素１５１の光透過率を定めるものであり、この画素値によって、各画素１５１から射出する光の強弱（階調）が規定される。さらに、画像処理部２９は、制御部２０の指示に基づき、生成した画像情報に対して、明るさ、コントラスト、シャープネス、色合い等を調整するための画質調整処理等を行い、すべての処理を終えた画像情報をＯＳＤ処理部３０に順次出力する。
【００４０】
ＯＳＤ処理部３０は、制御部２０の指示に基づいて、メニュー画像やメッセージ画像等のＯＳＤ（オンスクリーンディスプレイ）画像を、入力画像（画像信号に基づく画像）上に重畳して表示するための処理を行う。ＯＳＤ処理部３０は、図示しないＯＳＤメモリを備えており、ＯＳＤ画像を形成するための図形やフォント等を表すＯＳＤ画像情報を記憶している。制御部２０が、ＯＳＤ画像の重畳を指示すると、ＯＳＤ処理部３０は、必要なＯＳＤ画像情報をＯＳＤメモリから読み出し、入力画像の所定の位置にＯＳＤ画像が重畳されるように、画像処理部２９から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部３０は、画像処理部２９から出力される画像情報を、そのままライトバルブ駆動部１４に出力する。
【００４１】
図９に戻って、ＯＳＤ処理部３０から入力される画像情報は、ライトバルブ駆動部１４のデータ線駆動回路１４ａに供給される。また、データ線駆動回路１４ａ及び走査線駆動回路１４ｂのそれぞれには、制御部２０からタイミング信号等が供給される。データ線駆動回路１４ａ及び走査線駆動回路１４ｂが、入力されるタイミング信号に基づいたタイミングで、入力される画像情報に従って液晶ライトバルブ１２Ｒ，１２Ｇ，１２Ｂ（液晶パネル１５）を駆動すると、液晶ライトバルブ１２Ｒ，１２Ｇ，１２Ｂは、画像情報に応じた画像を形成し、この画像が投写レンズ１３からスクリーンＳＣに投写される。
【００４２】
ここで、制御部２０は、データ線駆動回路１４ａ及び走査線駆動回路１４ｂに対して、走査方向を制御するための走査方向制御信号ＤＩＲＸ，ＤＩＲＹをそれぞれ出力するようになっており、データ線駆動回路１４ａ及び走査線駆動回路１４ｂは、入力される走査方向制御信号ＤＩＲＸ，ＤＩＲＹに応じた走査方向で液晶パネル１５を駆動する。例えば、走査線駆動回路１４ｂは、入力された走査方向制御信号ＤＩＲＹがＬレベルの場合、Ｙ１，Ｙ２，…Ｙｎの順で走査線を選択し、走査方向制御信号ＤＩＲＹがＨレベルの場合には、Ｙｎ，Ｙｎ−１，…Ｙ１の順で走査線を選択する。また、データ線駆動回路１４ａは、入力された走査方向制御信号ＤＩＲＸがＬレベルの場合、順次入力される画素値をＸ１，Ｘ２，…Ｘｍの順に対応付けてデータ線にそれぞれ供給し、走査方向制御信号ＤＩＲＸがＨレベルの場合には、順次入力される画素値をＸｍ，Ｘｍ−１，…Ｘ１の順に対応付けてデータ線にそれぞれ供給する。このため、走査方向制御信号ＤＩＲＸ，ＤＩＲＹの電位レベルを変更することにより、画像を上下に反転した状態、即ち画像を１８０°回転した状態とすることができる。
【００４３】
図１０（ａ）、（ｂ）は、走査方向制御信号ＤＩＲＸ，ＤＩＲＹと画像の表示状態の関係を示す説明図である。
図１０（ａ）に示すように、本実施形態では、走査方向制御信号ＤＩＲＸ，ＤＩＲＹの電位レベルがともにＬレベルのとき、通常設置姿勢のプロジェクタ１から正規の向きで画像が投写されるようになっており、走査方向制御信号ＤＩＲＸ，ＤＩＲＹの電位レベルがともにＨレベルのときには、画像の上下が反転する。つまり、図１０（ｂ）に示すように、走査方向制御信号ＤＩＲＸ，ＤＩＲＹの電位レベルがともにＨレベルのときには、天吊設置姿勢のプロジェクタ１から正規の向きで画像が投写されることになる。なお、これ以降、走査方向制御信号ＤＩＲＸ，ＤＩＲＹの電位レベルがともにＬレベルのときの表示状態を「通常表示状態」と呼び、走査方向制御信号ＤＩＲＸ，ＤＩＲＹの電位レベルがともにＨレベルのときの表示状態を「反転表示状態」と呼ぶ。
【００４４】
次に、本実施形態のプロジェクタ１の動作について説明する。
プロジェクタ１に商用電源が供給されると、電源回路２５は、制御部２０、記憶部２１、操作パネル２２、操作信号受信部２４に電力（スタンバイ電力）の供給を行い、制御部２０は、この電力供給を受けて、制御プログラムに従った動作を開始する。商用電源が供給された直後には、プロジェクタ１は、スタンバイ状態であり、この状態では、制御部２０は、操作パネル２２やリモコン２３の電源キーに対する操作を監視する。
【００４５】
図１１は、スタンバイ状態において電源キーが操作された際のプロジェクタ１の動作、即ち起動時の動作を説明するためのフローチャートである。スタンバイ状態において、ユーザにより電源キーの操作がなされると、制御部２０は、図１１に示すフローに従って動作する。
【００４６】
図１１に示すように、ステップＳ１０１では、制御部２０は、電源回路２５に指示をして各部への動作電力の供給を開始させて、プロジェクタ１を電源オンの状態に移行させる。続くステップＳ１０２では、制御部２０は、光源制御部２６に指示をして光源１１を点灯させる等の必要な初期動作を行って、画像投写部１０からの画像の投写が可能な状態とする。
【００４７】
ステップＳ１０３では、制御部２０は、天吊検知部２７からの検知信号に基づいて、天吊金具４０が装着された状態であるか否かを判断する。そして、天吊金具４０が装着されていない場合にはステップＳ１０４に移行し、天吊金具４０が装着されている場合にはステップＳ１０５に移行する。
【００４８】
天吊金具４０が装着されておらずステップＳ１０４に移行した場合には、制御部２０は、ライトバルブ駆動部１４に出力する走査方向制御信号ＤＩＲＸ，ＤＩＲＹの電位レベルをともにＬレベルとしてフローを終了する。これ以降、画像信号入力部２８に入力される画像信号に応じた画像が、画像投写部１０から通常表示状態で投写される（図１０（ａ）参照）。
【００４９】
一方、天吊金具４０が装着されていてステップＳ１０５に移行した場合には、制御部２０は、ライトバルブ駆動部１４に出力する走査方向制御信号ＤＩＲＸ，ＤＩＲＹの電位レベルをともにＨレベルとしてフローを終了する。これ以降、画像信号入力部２８に入力される画像信号に応じた画像が、画像投写部１０から反転表示状態で投写される（図１０（ｂ）参照）。
【００５０】
このように、本実施形態のプロジェクタ１は、天吊金具４０が装着されているか否かを検知して、天吊金具４０が装着されていない場合には、通常設置姿勢で使用されるものと想定して画像を通常表示状態で表示させ、天吊金具４０が装着されている場合には、天吊設置姿勢で使用されるものと想定して画像を反転表示状態で表示させる。
【００５１】
また、本実施形態のプロジェクタ１は、起動時に天吊金具４０の装着が検知されて反転表示状態で画像を投写している間も、天吊検知部２７からの検知信号を継続して監視するようになっている。そして、天吊金具４０の装着が検知されない状態に切り替わった場合、即ち少なくとも１つの押圧スイッチ７がオンの状態からオフの状態に切り替わった場合には、プロジェクタ１に対する天吊金具４０（装置側固定部４３）の装着が不完全であると想定し、ユーザに警告を行って画像の投写を中止するようになっている。
【００５２】
図１２は、少なくとも１つの押圧スイッチ７がオンの状態からオフの状態に切り替わった場合のプロジェクタ１の動作を説明するためのフローチャートであり、図１３は、その場合の動作を説明する説明図である。プロジェクタ１が天吊設置姿勢、即ち反転表示状態で画像を投写している際に、少なくとも１つの押圧スイッチ７がオンの状態からオフの状態に切り替わると、制御部２０は、図１２に示すフローに従って動作する。
【００５３】
図１２に示すように、ステップＳ２０１では、制御部２０は、ＯＳＤ処理部３０に指示をして、ＯＳＤ画像である警告メッセージＭｗ（例えば、「天吊金具の装着状態を確認してください。」）を入力画像Ｐ上に重畳表示させる（図１３参照）。制御部２０は、この警告メッセージＭｗを所定時間（例えば、１０秒）表示させた後、ステップＳ２０２に移行する。
【００５４】
ステップＳ２０２では、制御部２０は、光源制御部２６に指示をして光源１１を消灯させる等の必要な終了動作を行い、続くステップＳ２０３では、電源回路２５に指示をして動作電力の供給を停止させ、プロジェクタ１をスタンバイ状態に移行させてフローを終了する。
【００５５】
以上説明したように、本実施形態のプロジェクタ１によれば、以下の効果を得ることができる。
【００５６】
（１）本実施形態のプロジェクタ１によれば、筐体２を上下反転させた姿勢で設置するための天吊金具４０が装着されている場合に、画像を上下反転させて投写させるようにしているため、通常設置姿勢で使用する場合、及び天吊金具４０を用いて天吊設置姿勢で使用する場合のいずれであっても、画像を上下反転させるための設定をユーザが自ら行うことなく、正しい向きで画像を鑑賞することが可能となる。また、天吊金具４０の装着の有無によってプロジェクタ１（筐体２）の姿勢を判断するため、角度センサ等によってプロジェクタ１の姿勢を検出する構成に比べてコストを低減させることが可能となる。
【００５７】
（２）本実施形態のプロジェクタ１によれば、天吊金具４０をプロジェクタ１に装着することにより、天吊金具４０の一部（屈曲部４３ｂ）によって押圧スイッチ７が押圧される構成であるため、天吊金具４０の装着を容易に検知することが可能となる。
【００５８】
（３）本実施形態のプロジェクタ１によれば、押圧スイッチ７が筐体２の内部に配置されているため、誤って押圧スイッチ７を押圧してしまう事態が抑制され、天吊金具４０の装着状態を正しく検知することが可能となる。
【００５９】
（４）本実施形態のプロジェクタ１によれば、天吊設置姿勢で画像を投写している際に、少なくとも１つの押圧スイッチ７がオン状態からオフ状態に切り替わると、警告メッセージＭｗを表示させるとともに、スタンバイ状態に移行させて画像の投写を中止するようにしている。このため、プロジェクタ１に対する天吊金具４０（装置側固定部４３）の固定が不完全である場合、即ち天吊金具４０の装着状態に不備がある場合に、その旨をユーザに報知して、その処置（装着状態の不備の改善）をユーザに促すことが可能となる。
【００６０】
なお、本実施形態では、天吊金具４０が、筐体２を上下反転させた姿勢で設置するための固定部材に相当し、ねじ穴４が形成された筐体２の底面２ｂが、固定部材装着部に相当し、天吊検知部２７が、固定部材検知部に相当する。また、少なくとも１つの押圧スイッチ７がオンの状態からオフの状態に切り替わることにより天吊金具４０の装着状態の不備を検出して警告メッセージＭｗを表示する際の制御部２０及びＯＳＤ処理部３０が警告部に相当する。
【００６１】
（変形例）
また、前記実施形態は、以下のように変更してもよい。
【００６２】
前記実施形態では、ライトバルブ駆動部１４のＸ方向及びＹ方向の走査方向を変更することで、画像の向きを変更しているが、画像の向きの変更は当該方法に限られず、例えば、画像処理部２９において画像情報のデータ配列を反転させる処理を行ってもよい。
【００６３】
前記実施形態では、天吊検知部２７の押圧スイッチ７が筐体２の内部に配置された構成を示しているが、押圧スイッチ７のボタン７ａが筐体２の底面２ｂから突出するような構成にすれば、筐体２の内部に進入する屈曲部４３ｂを装置側固定部４３に備える必要がなくなる。ただし、この場合には、通常設置姿勢のときに押圧スイッチ７が設置面によって押圧されてしまうことがないよう、底面２ｂから突出するボタン７ａの高さを、設置面に対する底面２ｂの高さよりも低くする必要がある。
【００６４】
前記実施形態では、２つの押圧スイッチ７を備えた構成を示しているが、押圧スイッチ７の数は複数に限られず、１つであってもよい。
【００６５】
前記実施形態では、天吊金具４０が装着されているか否かを押圧スイッチ７によって検知する構成を示しているが、押圧スイッチ７以外の接触型の検知手段を用いてもよいし、光センサや磁気センサ等の非接触型の検知手段を用いるようにしてもよい。
【００６６】
前記実施形態では、天吊金具４０の装着状態に不備がある場合に、ＯＳＤ画像（警告メッセージＭｗ）によって警告を行うようにしているが、図示しないＬＥＤ（Light Emitting Diode）インジケータ等によって警告するようにしてもよいし、図示しない音声出力手段によって警告することも可能である。
【００６７】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源１１から射出した光を変調する微小ミラーアレイデバイス等を用いることもできる。
【００６８】
前記実施形態では、光源１１は、放電型の光源ランプ１１ａによって構成されているが、ＬＥＤ光源等の固体光源や、その他の光源を用いることもできる。
【図面の簡単な説明】
【００６９】
【図１】プロジェクタを上面側から見た斜視図。
【図２】プロジェクタを底面側から見た斜視図。
【図３】プロジェクタが画像を投写する様子を示す側面図であり、机上等に載置された状態を示す図。
【図４】プロジェクタが画像を投写する様子を示す側面図であり、天井等に固定された状態を示す図。
【図５】（ａ）〜（ｃ）は、天吊金具を示す図であり、（ａ）は、斜視図、（ｂ）は正面図、（ｃ）は、側面図。
【図６】天吊金具が装着された状態のプロジェクタを示す斜視図。
【図７】（ａ）、（ｂ）は、筐体の底面に形成されたスリットの周辺構造を示す部分断面図であり、（ａ）は、天吊金具を装着していない状態を示す図、（ｂ）は、天吊金具を装着した状態を示す図。
【図８】プロジェクタの回路構成を示すブロック図。
【図９】液晶パネルの回路構成を示すブロック図。
【図１０】（ａ）、（ｂ）は、走査方向制御信号と画像の表示状態の関係を示す説明図。
【図１１】スタンバイ状態において電源キーが操作された際のプロジェクタ１の動作を説明するためのフローチャート。
【図１２】少なくとも１つの押圧スイッチがオンの状態からオフの状態に切り替わった場合のプロジェクタの動作を説明するためのフローチャート。
【図１３】少なくとも１つの押圧スイッチがオンの状態からオフの状態に切り替わった場合の動作を説明する説明図。
【符号の説明】
【００７０】
１…プロジェクタ、２…筐体、３ａ，３ｂ…前方脚部、３ｃ…後方脚部、４…ねじ穴、５…スリット、６…回路基板、７…押圧スイッチ、７ａ…ボタン、１０…画像投写部、１１…光源、１２Ｒ，１２Ｇ，１２Ｂ…液晶ライトバルブ、１３…投写レンズ、１４…ライトバルブ駆動部、１４ａ…データ線駆動回路、１４ｂ…走査線駆動回路、１５…液晶パネル、２０…制御部、２１…記憶部、２２…操作パネル、２３…リモコン、２４…操作信号受信部、２５…電源回路、２６…光源制御部、２７…天吊検知部、２８…画像信号入力部、２９…画像処理部、３０…ＯＳＤ処理部、４０…天吊金具、４１…支柱、４２…天井側固定部、４２ａ…挿通孔、４３…装置側固定部、４３ａ…挿通孔、４３ｂ…屈曲部、１５０…画素領域、１５１…画素回路（画素）、１５２…画素電極、１５３…薄膜トランジスタ、ＤＩＲＸ，ＤＩＲＹ…走査方向制御信号、Ｍｗ…警告メッセージ、ＳＣ…スクリーン。
【図１】
2009134219.tif 000003
【図２】
2009134219.tif 000004
【図３】
2009134219.tif 000005
【図４】
2009134219.tif 000006
【図５】
2009134219.tif 000007
【図６】
2009134219.tif 000008
【図７】
2009134219.tif 000009
【図８】
2009134219.tif 000010
【図９】
2009134219.tif 000011
【図１０】
2009134219.tif 000012
【図１１】
2009134219.tif 000013
【図１２】
2009134219.tif 000014
【図１３】
2009134219.tif 000015